(57)【要約】【課題】  ファンケース本体部とファンケース基部との当接部における隙間の発生および振動の伝達を防止して、ファンケースにおける騒音を抑制すること。【解決手段】  本発明に係る送風装置１は、ファン１４ａを回転させるためのファンモータ１４ｄが設置されるファンケース基部１１と、ファンモータ１４ｄの上方に設置されるファン１４ａを内包するようにしてファンケース基部１１に載置されるファンケース本体部１０とを有している。ファンケース本体部１０は、ファンケース基部１１との当接部に弾性部材１６が介在された状態でファンケース基部１１に取り付けられる。【選択図】  図４
2008107016.tif 000002
【特許請求の範囲】
【請求項１】
ファンを回転させるためのファンモータが設置されたファンケース基部と、
前記ファンモータの上方に設置される前記ファンを内包するようにして前記ファンケース基部に載置されるファンケース本体部とを有し、
前記ファンケース本体部は、前記ファンケース基部との当接部に弾性部材が介在された状態で前記ファンケース基部に取り付けられること
を特徴とする送風装置。
【請求項２】
前記ファンケース本体は、当該ファンケース本体部と前記ファンケース基部とを収納する本体ケースの上面に垂設されること
を特徴とする請求項１に記載の送風装置。
【請求項３】
前記ファンケース基部には、下方に設置される他のファンを回転させるための第２ファンモータが設けられ、一方のファンにより室内の空気が吸い込まれて室内への吹き出しが行われ、他方のファンにより屋内の空気が吸い込まれて室外への排出が行われること
を特徴とする請求項１又は請求項２に記載の送風装置。
【発明の詳細な説明】
【技術分野】
【０００１】
本発明は、ファンを回転させるためのモータが設置されたファンケース基部と、ファンを内包するようにしてファンケース基部に載置されるファンケース本体部とを有する送風装置に関する。
【背景技術】
【０００２】
一般的な浴室には、浴室の換気を行うための浴室空調装置（送風装置）が設けられている。近年では、単に浴室の換気を行うだけでなく、建物内の換気機能を確保するために浴室空調装置が用いられている。
【０００３】
浴室空調装置は、本体ケースと、浴室内の空気を吸入するためのシロッコファン（多翼ファン）と、シロッコファンを回転させるためのファンモータと、ファンモータが設置されるファンケース基部と、モータに軸支されたシロッコファンを内包するようにしてファンケース基部に載置されるファンケース本体部とを備えている。
【０００４】
シロッコファンは、周縁部に複数の翼が配設された円盤状の回転ファンである。シロッコファンは、ファンケース本体部とファンケース基部とにより形成されるファンケースの内部に回転自在に設置される。シロッコファンが回転することによって、ファンケース本体部に形成された吸入開口を介して空気がファンケース内に吸入される構造となっている。
【０００５】
シロッコファンを使用した浴室空調装置は、その構造から設備の厚み（高さ）を低くすることができるため、装置本体をコンパクトに設計することが容易である。このため、シロッコファンを用いた送風装置は、設置スペースが限られる浴室天井等に設置し易いという特徴を備えている（例えば、特許文献１参照）。
【特許文献１】特開２００４−３４０４０７号公報（第４−６頁、第１図）
【発明の開示】
【発明が解決しようとする課題】
【０００６】
しかしながら、上述したように、シロッコファンを収納するファンケースは、ファンケース本体部とファンケース基部との２つの部材によって形成されており、ファンケース本体部の端部をファンケース基部に当接させて固定させることによって構成されている。このため、ファンケース本体部およびファンケース基部の成型時の僅かな歪みや、温度変化・経時変化等に伴って当接部にズレが生ずる場合には、ファン本体ケースとファン基部ケースとの当接部の密着性が損なわれるおそれがある。
【０００７】
特に、ファンケース基部に対してシロッコファンを回転させるためのファンモータが設置されるため、ファンモータの重さでファンケース基部が僅かに撓んでしまって、ファン本体ケースとファン基部ケースとの当接部に隙間が生じてしまうおそれがあった。
【０００８】
このように、ファンケース本体部とファンケース基部との当接部の密着性が損なわれ、ファンケース本体部とファンケース基部との当接部に隙間が生じると、その隙間から空気が漏れて笛吹音や風切り音等の騒音が発生するおそれがあるという問題があった。
【０００９】
また、隙間が生じていない場合であっても、シロッコファンの回転に伴って生ずる空気の脈動やファンモータの駆動等によってファンケース本体部又はファンケース基部に振動が発生してしまい、この振動がファンケース本体部とファンケース基部との当接部を介してファンケース全体へと伝わってケース全体で振動音等の騒音が発生するおそれがあるという問題があった。
【００１０】
本発明は、上記問題に鑑みてなされたものであり、ファンケース本体部とファンケース基部との当接部における隙間の発生および振動の伝達を防止して、ファンケースにおける騒音を抑制することが可能な送風装置を提供することを課題とする。
【課題を解決するための手段】
【００１１】
上記課題を解決するために、本発明に係る送風装置は、ファンを回転させるためのファンモータが設置されたファンケース基部と、前記ファンモータの上方に設置される前記ファンを内包するようにして前記ファンケース基部に載置されるファンケース本体部とを有し、前記ファンケース本体部は、前記ファンケース基部との当接部に弾性部材が介在された状態で前記ファンケース基部に取り付けられることを特徴とする。
【００１２】
また、前記ファンケース本体は、当該ファンケース本体部と前記ファンケース基部とを収納する本体ケースの上面に垂設されるものであってもよい。
【００１３】
さらに、前記ファンケース基部に、下方に設置される他のファンを回転させるための第２ファンモータが設けられ、一方のファンにより室内の空気が吸い込まれて室内への吹き出しが行われ、他方のファンにより屋内の空気が吸い込まれて室外への排出が行われるものであってもよい。
【発明の効果】
【００１４】
本発明に係る送風装置によれば、ファンモータが設置されたファンケース基部に対し、前記ファンケース基部との当接部に弾性部材が介在された状態でファンケース本体部がファンケース基部に取り付けられるので、例えば、ファンケース基部に設けられたファンモータの重み等によってファンケース基部が撓んでしまったり、経時変化や温度変形等によってファンケース基部が僅かに歪んでしまっても、ファンケース本体部とファンケース基部と当接部に設けられる弾性部材がファンケース本体部とファンケース基部との隙間を塞ぐようにして拡縮し、当接部からの空気の流出を防止することができる。このため、ファンケース基部とファンケース本体部とにより形成される空間（導通路）を通過する空気が当接部の隙間から外部に漏れだしてしまって、笛吹音や風切り音等の騒音が発生することを防止することができる。
【００１５】
特に、前記ファンケース本体が本体ケースの上面に垂設される場合には、ファンモータの重み等によってファンケース基部が撓んでしまうと、ファンケース本体部とファンケース基部との当接部に隙間が生じ易くなる。このため、ファンケース本体部と前記ファンケース基部との当接部に弾性部材を介在させることによって、より効果的に隙間の発生を抑制することができ、風切り音等の騒音の発生を防止することが可能となる。
【００１６】
また、ファンケース基部に対してファンモータだけでなく第２ファンモータも設置される場合には、２つのファンモータの重みによってファンケース基部が撓み易くなる。このため、ファンケース本体部と前記ファンケース基部との当接部に弾性部材を介在させることによって、より効果的に隙間の発生を抑制することができ、風切り音等の騒音の発生を防止することが可能となる。
【００１７】
さらに、弾性部材は緩衝材としての役割をも果たすことができるため、ファンの回転に伴って生じ得る気流の脈動等の振動が、ファンケース本体部から当接部を介してファンケース基部へと伝達されることを弾性部材で防止することができる。また、ファンモータの駆動に伴う振動がファンケース基部から当接部を介してファンケース本体部へと伝達されることを弾性部材で防止することができる。このため、ファンやファンモータ等により生じた振動が、当接部を介してファンケース全体へと伝わってしまうことを防止することができ、送風装置全体の静音化を図ることが可能となる。
【発明を実施するための最良の形態】
【００１８】
以下、本発明に係る送風装置を備えた浴室空調装置を、図面を用いて詳細に説明を行う。
【００１９】
図１は、浴室空調装置を示す分解斜視図であり、図２は、図１に示す浴室空調装置のＡ−Ａ断面を示している。
【００２０】
浴室空調装置１は、本体ケース２と、送風ユニット３と、回路基板部４と、フロントパネル５とを有している。
【００２１】
本体ケース２は、所定の高さを有する箱体であり、不燃性の部材、例えば製造性・コスト等を考慮して鉄等の金属によって構成されている。また、本体ケース２の底面は開放されており、開放された底面開口周縁にはフランジ２ａが形成されている。このフランジ２ａには、フロントパネル５を下方より着脱自在に装着することが可能となっている。なお、本体ケース２は、図３に示すように、上部の箱体部２ｂと下部のフランジ２ａ部分とを分離することが可能となっている。
【００２２】
また、本体ケース２の一側面には、他室内の空気を吸入するための他室吸込口２ｃが形成されており、また、本体ケース２の他側面には、送風ユニット３により吸入された空気を浴室空調装置１の外部へ排気するための排気口２ｄが形成されている。
【００２３】
回路基板部４は、本体ケースの上端部に設置されている。回路基板部４の内部には、浴室空調装置１の制御を行うための制御部６０（図８（ｂ）参照）を備えた回路基板等が収納されている。
【００２４】
送風ユニット３は、図２〜図４に示すように、換気ファンケース（ファンケース本体部）１０と、循環ファンケース（ファンケース基部）１１と、循環案内部１２と、ファンカバー１３と、換気ファンユニット１４と、循環ファンユニット１５とを有している。
【００２５】
換気ファンケース１０は、底面が開放された略円筒形状のケースであって、側壁部に本体ケースの排気口２ｄへ連通する側部開口１０ａが形成されている。また、換気ファンケース１０は、換気シロッコファン１４ａを収納するために、換気シロッコファン１４ａよりも拡径を呈している。換気ファンケース１０は、本体ケース２の上端部において天井面より一定の空間距離Ｌを確保するようにして垂設されており、また、換気ファンケース１０の底面開口周縁部１０ｂには、発泡ゴム（例えば、ＥＰＤＭ（Ethylene Propylene Diene Methylene Linkage）：エチレン−プロピレン−ジエンゴム）１６が取り付けられている。
【００２６】
循環ファンケース１１は、換気ファンケース１０に対応する筒幅を有する略円筒状のケースであり、換気ファンケース１０と同様に底面が開放されている。循環ファンケース１１の側部には、循環案内部１２に連通する側部開口１１ａ（図６参照）が形成されている。なお、円柱状をなす循環ファンケース１１は、循環シロッコファン１５ａを収納するために、循環シロッコファン１５ａよりも拡径を呈している。また、循環ファンケース１１の天井面上側には、換気ファンユニット１４用の整流部材が形成される第１床板部１７ａと、次述する導通路１０ｅの一部を形成する第２床板部１７ｂとが張り合わされている。
【００２７】
循環案内部１２は、循環ファンケース１１内に導入された空気を浴室内へと導くための案内部である。循環案内部１２は、図２に示すように、一端が循環ファンケース１１の側部開口１１ａに接続され、他端が次述するファンカバー１３の端部に形成される吹出口１３ａに接続される筒状部材であり、図６に示すように、循環ファンケース１１の側部開口１１ａ側の筒内幅に比べて吹出口１３ａ側の筒内幅の方が幅広となっている。
【００２８】
また、循環案内部１２の内部には、ヒータ１８が設けられている。本実施例においては、ヒータ１８として、ＰＴＣ（Positive Temperature Coefficient）ヒータが用いられている。ただし、ヒータ１８はＰＴＣヒータに限定されるものではなく、カーボンヒータ等の他の加熱手段を用いてもよい。
【００２９】
換気ファンユニット１４は、主板１４ｂの周縁部に多数の翼１４ｃが設けられる換気シロッコファン（ファン）１４ａと、換気シロッコファン１４ａを回転駆動する換気ファンモータ（ファンモータ）１４ｄとを備えている。換気ファンモータ１４ｄは、循環ファンケース１１の天井面上側に固定されており、換気シロッコファン１４ａは、上方に向けて立設された換気ファンモータ１４ｄの回転軸１４ｅに固定される。
【００３０】
換気ファンケース１０は、換気ファンユニット１４を内包するようにして循環ファンケース１１の天井面に載置される。換気ファンケース１０の底面開口周縁部１０ｂには発泡ゴム１６が設けられているので、この発泡ゴム１６を介して換気ファンケース１０が循環ファンケース１１に固定される。このため、発泡ゴム１６によって、換気ファンケース１０と循環ファンケース１１との当接部における間隙の発生を防止することが可能となっている。
【００３１】
換気シロッコファン１４ａは、図５に示すように、換気ファンケース１０の円形状空間部１０ｃにおいて舌状部１０ｄ寄りに偏芯した状態に配設されている。換気シロッコファン１４ａが設置された換気ファンケース１０では、換気シロッコファン１４ａに対向する換気ファンケース１０の内壁面によって、舌状部１０ｄ付近を起点とし側部開口１０ａを出口（ファン出口）とする環状の導通路１０ｅが形成される。
【００３２】
なお、換気シロッコファン１４ａが換気ファンケース１０に対して偏芯した状態で設置されるため、導通路１０ｅは起点から側部開口１０ａに進むに従って通路幅が次第に拡幅された状態となる。また、換気ファンケース１０の上面には、図２、図３に示すように、換気シロッコファン１４ａの主板１４ｂを回転軸１４ｅ方向から臨むようにして換気用吸込口１０ｆが形成されている。
【００３３】
導通路１０ｅを形成する循環ファンケース１１の天井面上側には、前述した第１床板部１７ａに形成される整流部材が設けられている。この整流部材は、導通路１０ｅを通過する空気の整流を行うためのものであり、換気シロッコファン１４ａ寄りの位置に設けられる第１換気整流部材１９ａと、第１換気整流部材１９ａの上流側に位置する第２換気整流部材１９ｂとにより構成されている。
【００３４】
循環ファンユニット１５は、主板１５ｂの周縁部に多数の翼１５ｃが設けられる循環シロッコファン（他のファン）１５ａと、循環シロッコファン１５ａを回転駆動する循環ファンモータ（第２ファンモータ）１５ｄとを備えている。循環ファンモータ１５ｄは、循環ファンケース１１の天井面下側に固定されており、循環シロッコファン１５ａは、下方に向けて垂設された循環ファンモータ１５ｄの回転軸１５ｅに固定されている。
【００３５】
円筒状をなす循環ファンケース１１は、循環シロッコファン１５ａよりも拡径を呈しているので、循環ファンケース１１の天井面下側に循環ファンモータ１５ｄが固定されることによって、循環ファンユニット１５が循環ファンケース１１に内設される。
【００３６】
循環シロッコファン１５ａは、図６に示すように、循環ファンケース１１の円形状空間部１１ｃにおいて、舌状部１１ｄ寄りに偏芯した状態に配設される。循環シロッコファン１５ａが設置された循環ファンケース１１では、循環シロッコファン１５ａに対向する循環ファンケース１１の内面によって、舌状部１１ｄを起点とし側部開口１１ａを出口とする環状の導通路１１ｅが形成される。
【００３７】
なお、循環シロッコファン１５ａが循環ファンケース１１に対して偏芯した状態で設置されるため、導通路１１ｅは、起点となる舌状部１１ｄ付近から側部開口１１ａに進むに従って通路幅が次第に拡幅された状態となる。
【００３８】
また、循環ファンケース１１の天井面下側には、図６に示すように、導通路１１ｅを通過する空気の整流を行うために第１循環整流部材２０ａが、循環シロッコファン１５ａ寄りの位置に設けられており、さらに、第１循環整流部材２０ａの上流位置には第２循環整流部材２０ｂが設けられている。
【００３９】
ファンカバー１３は、図２、図３に示すように、循環ファンケース１１の底部開口を覆うようにして本体ケース２の底面に設置されている。循環ファンケース１１がファンカバー１３に固定されることによって、循環ファンケース１１が本体ケース２内に固定される構造となっている。
【００４０】
ファンカバー１３には、循環シロッコファン１５ａの主板１５ｂを回転軸１５ｅ方向から臨むようにして循環用吸込口１３ｂが形成され、また、ファンカバー１３の端部には、循環案内部１２の端部に連通する吹出口１３ａが形成されている。
【００４１】
さらに、ファンカバー１３の他端部には、開閉ユニット２２が設けられている。開閉ユニット２２は、循環ファンケース１１の外側壁面と本体ケース２の内壁面との間に配設されている。開閉ユニット２２は、中心部に設けられる開閉モータ３０と、開閉モータ３０を中心部に収納するとともに浴室の空気を換気用吸込口１０ｆへと導くための底面開口３１を左右に形成する開閉ユニットフレーム３２と、底面開口３１の開閉を行う開閉シャッタ３３とを有している。開閉ユニット２２が、ファンカバー１３の端部に設けられているので、底面開口３１は、本体ケース２の左右角部に形成される。
【００４２】
また、開閉シャッタ３３は、開閉ユニットフレーム３２の底面開口３１に回動自在に設けられている。開閉シャッタ３３のシャッタ軸３３ａは、開閉ユニットフレーム３２の壁面を貫通して開閉モータ３０に対してギア３０ａ、３３ｂを介して接続されている。開閉モータ３０の駆動制御は制御部６０により行われており、制御部６０の制御に応じて開閉モータが駆動されることによってシャッタ軸３３ａが回転し、開閉シャッタ３３の開閉が行われる構造となっている。
【００４３】
フロントパネル５には、図１に示すように、底面開口３１および循環用吸込口１３ｂの設置位置に対応するようにして、パネル吸込口５ａが形成されている。また、フロントパネル５には、ファンカバー１３の吹出口１３ａの設置位置に対応するようにしてパネル吹出口５ｂが形成されている。
【００４４】
このようにして構成される送風ユニット３および回路基板部４を本体ケース２内に設置してフロントパネル５を取り付けた後に、換気ファンモータ１４ｄを駆動させて換気シロッコファン１４ａを回転させると、他室吸込口２ｃの空気が換気用吸込口１０ｆを介して換気ファンケース１０内へと吸入される。また、換気ファンモータ１４ｄを駆動させて換気シロッコファン１４ａを回転させ、さらに、開閉モータ３０を駆動させて底面開口３１を開放させると、換気シロッコファン１４ａの回転に伴って、底面開口３１より浴室内の空気が換気ファンケース１０内に吸入される。
【００４５】
底面開口３１および他室吸込口２ｃより換気ファンケース１０内に吸入された空気は、換気ファンケース１０の導通路１０ｅを介して排気口２ｄへと導かれ、浴室空調装置１より屋外へと排出される。
【００４６】
また、循環ファンモータ１５ｄを駆動させて循環シロッコファン１５ａを回転させ、さらにヒータ１８を動作させると、循環シロッコファン１５ａの回転に伴って、浴室内の空気が循環用吸込口１３ｂを介して循環ファンケース１１内に吸入される。循環ファンユニット１５へと吸入された空気は、循環ファンケース１１に形成された導通路１１ｅおよび循環案内部１２により形成された循環風路を介して吹出口１３ａへと導かれる。このとき、循環案内部１２を通過する空気は、必要に応じてヒータ１８で暖めることができるため、ヒータ１８により温風となった空気を浴室内に循環させることが可能である。
【００４７】
次に、本実施形態に係る浴室空調装置１を浴室に設置する場合について説明する。図７は、浴室空調装置１を、洗面所４２に隣接した浴室４３に設置した状態を示している。
【００４８】
浴室４３の天井パネル４３ａには、浴室空調装置１の本体ケース２を収納可能な開口部が形成されており、浴室空調装置１の本体ケース２をこの開口部より天井裏に収納することによって、浴室空調装置１が浴室４３に設置される。本体ケース２は、天井裏から吊り下げられるか、又は天井パネル４３ａに固定されるようにして設置されており、固定された本体ケース２の下面に対して、フロントロントパネル５が浴室４３に露出するようにして取り付けられる。
【００４９】
浴室空調装置１の他室吸込口２ｃには、第１他室排気ダクト４４の一端が第１他室排気ダクト接続部４５を介して接続されている。また、第１他室排気ダクト４４の他端は、洗面所４２の天井に設置される洗面所排気吸込口４２ａを備えた連結ユニット４６に連結されており、この第１他室排気ダクト４４と連結ユニット４６とを介して洗面所４２と浴室空調装置１とが連通された状態となっている。
【００５０】
また、連結ユニット４６には、トイレ４１の天井に形成されるトイレ排気吸込口４７に一端が連結された第２他室排気ダクト４８が接続されており、この第２他室排気ダクト４８、連結ユニット４６および第１他室排気ダクト４４を介してトイレ４１と浴室空調装置１とが連通された状態となっている。
【００５１】
さらに、浴室空調装置１の排気口２ｄには、建物の外壁に設置された排気グリル５０に一端が接続された排気ダクト５１が、排気ダクト接続部５２を介して接続されている。
【００５２】
なお、浴室空調装置１に他室吸込口２ｃを複数、例えば２カ所設けて、一方の他室吸込口２ｃに第１他室排気ダクト４４を連結させて洗面所４２と浴室空調装置１とを連通させ、他方の他室吸込口２ｃに第２他室排気ダクト４４を連結させてトイレ４１と浴室空調装置１とを連通させる構造としてもよい。また、浴室空調装置１に他室吸込口２ｃを設けず、他室からの空気の吸込みを行わない構成としてもよい。
【００５３】
浴室４３には、洗濯物等を吊すためのランドリパイプ５３を設置することが可能となっている。浴室空調装置１のヒータ１８で加熱された温風をランドリパイプ５３に掛けられた洗濯物等に当てることによって、洗濯物を素早く乾かすことが可能となる。
【００５４】
また、浴室４３の入口には浴室ドア５４が設けられており、浴室ドア５４の下部には空気取入口（ガラリ）５４ａが形成されている。浴室空調装置１により浴室４３内の空気の吸込みが行われた場合には、浴室４３内の空気の吸込みに伴って、洗面所４２の空気が空気取入口５４ａを介して浴室４３内に導かれる。
【００５５】
さらに、洗面所４２の壁面には、浴室空調装置１の操作を行うための操作パネル５５が設けられている。図８（ａ）は、操作パネル５５の一例を示した図である。操作パネル５５は、表示部５５ａと、暖房運転モードを選択する暖房モードボタン５５ｂ、涼風運転モードを選択する涼風モードボタン５５ｃと、換気運転モードを選択する換気モードボタン５５ｄと、乾燥運転モードを選択する乾燥モードボタン５５ｅと、２４時間換気モードを選択する２４時間換気モードボタン５５ｈとが設けられている。
【００５６】
また、操作パネル５５には選択した運転モードを利用者が確認できるように、例えば各ボタン５５ｂ〜５５ｅに対応してランプ５５ｆが設けられており、選択された運転モードのボタン５５ｂ〜５５ｅに対応してランプ５５ｆが点灯するようになっている。さらに、タイマボタン５５ｇを設けて、設定した時間に所望の運転モードが実行開始又は終了できるようにしてもよい。
【００５７】
また、操作パネル５５に設けられた２４時間換気モードボタン５５ｈが選択されている場合には、浴室空調装置１が、２４時間換気運転モードによる運転を行う。所定の建物では２４時間換気を行うことが義務付けられており、２４時間換気では、住宅全体又は住宅の所定エリアの容積を所定の換気回数（例えば０．５回／時間）換気する必要がある。このため、浴室空調装置１に２４時間換気運転モードを設けることによって、建物内の換気が行われている。
【００５８】
利用者が操作パネル５５を操作して、浴室空調装置１の運転モードの選択を行うと、図８（ｂ）に示すように、選択された情報が回路基板部４に収納された制御部６０に伝達される。制御部６０は、ＣＰＵ（Central Processing Unit）やメモリ等で構成されており、この制御部６０の制御によってヒータ１８と、換気ファンモータ１４ｄと、循環ファンモータ１５ｄと、開閉モータ３０との駆動制御が行われる。制御部６０は、図示しないメモリ等に格納されたプログラム従って、利用者により選択された暖房運転モード、換気運転モード、涼風運転モードおよび乾燥運転モードに応じた制御を、ヒータ１８、換気ファンモータ１４ｄ、循環ファンモータ１５ｄ、開閉モータ３０に対して実行する。
【００５９】
次に、上述した運転モードに対応して実行される浴室空調装置１の動作について説明する。
【００６０】
＜換気運転モード・２４時間運転モードについて＞
操作パネル５５において利用者により換気モードボタン５５ｄが押下されて、換気運転モードが選択されると、制御部６０は換気運転モードによる制御動作を実行する。
【００６１】
具体的に、制御部６０は、循環ファンモータ１５ｄを停止させて循環シロッコファン１５ａの回転を止めると共にヒータ１８を停止させる。また、制御部６０は、換気ファンモータ１４ｄを駆動させて換気シロッコファン１４ａを回転させると共に、開閉モータ３０を駆動して開閉シャッタ３３を回動させて、底面開口３１を開放させる。
【００６２】
換気シロッコファン１４ａが回転すると、フロントパネル５のパネル吸込口５ａ、底面開口３１を介して、浴室４３の空気が換気用吸込口１０ｆより換気ファンケース１０の内部へと吸込まれる。
【００６３】
同時に、換気シロッコファン１４ａの回転によって、洗面所４２の空気が第１他室排気ダクト４４を介して他室吸込口２ｃへと導かれ、また、トイレ４１の空気が第１他室排気ダクト４４および第２他室排気ダクト４８を介して他室吸込口２ｃへと導かれて、換気用吸込口１０ｆより換気ファンケース１０内部へと吸込まれる。
【００６４】
図９、図１０は、底面開口３１を介して導かれた浴室４３の空気が、循環ファンケース１１の外側面および換気ファンケース１０の外側面と本体ケース２の内壁面との間の空間を通って、換気用吸込口１０ｆより換気ファンケース１０内部へと導かれる状態を示している（図９および図１０の矢印Ａ１）。また、図９、図１０には、他室吸込口２ｃを介して導かれた洗面所４２およびトイレ４１の空気が、循環ファンケース１１の外側面および換気ファンケース１０の外側面と本体ケース２の内壁面との間の空間を通って、換気用吸込口１０ｆより換気ファンケース１０内部へと導かれる状態を示している（図９および図１０の矢印Ｂ１）。
【００６５】
換気シロッコファン１４ａの回転によって、吸い込まれた空気が換気ファンケース１０内部へと導かれる場合には、開閉ユニット２２が、ファンカバー１３の端部に設けられ、２カ所の底面開口３１が、本体ケース２の左右角部に確保されているので、浴室４３からの吸込風量を増やすことができ、十分な吸込風量を確保することが可能となる。
【００６６】
特に、底面開口３１は、本体ケース２と循環ファンケース１１との間であって循環ファンケース１１の外周に沿って設けられた空間（隙間）に位置するようにして開閉ユニットフレーム３２により形成されており、浴室４３からの吸込開口面積を従来に比べて広く確保することができるので、浴室４３からの吸込風量を従来よりも多くすることが可能となる。
【００６７】
換気ファンケース１０内に吸込まれた空気は、換気ファンケース１０内に形成された導通路１０ｅを通って導通路１０ｅの出口となる側部開口１０ａ方向へと導かれる。導通路１０ｅを側部開口１０ａ方向へと通過する気流は、次第に通路幅の拡幅が大きくなるので風速が増大する。
【００６８】
このとき、導通路１０ｅには、第１換気整流部材１９ａと第２換気整流部材１９ｂとが設けられているので、風速の増大に伴う気流の乱れを第１換気整流部材１９ａおよび第２換気整流部材１９ｂによって整流することができ、導通路１０ｅにおける気流の乱れを抑制して円滑な空気の排出を実現すると共に、気流の乱れによる騒音の発生を抑制することが可能となる。
【００６９】
さらに、換気ファンケース１０の底面開口周縁部１０ｂの全周には、発泡ゴム１６が設けられている。このため、例えば、循環ファンケース１１に設けられた換気ファンモータ１４ｄおよび循環ファンモータ１５ｄの重み等によって循環ファンケース１１が撓んでしまったり、経時変化や温度変形等によって循環ファンケース１１が僅かに歪んでしまうおそれがあっても、換気ファンケース１０と循環ファンケース１１との当接部に設けられた発泡ゴム１６が換気ファンケース１０と循環ファンケース１１との隙間を塞ぐようにして拡縮し、当接部からの空気の流出を防止することができる。このため、導通路１０ｅを通過する空気が当接部の隙間から送風ユニット３の外部に漏れだしてしまって、笛吹音や風切り音等の騒音が発生することを防止することができる。
【００７０】
特に、浴室空調装置１では、換気ファンケース１０が本体ケース２の上端部において天井面より一定の空間距離Ｌを確保するようにして垂設されているので、換気ファンモータ１４ｄや循環ファンモータ１５ｄの重み等によって循環ファンケース１１が撓んでしまうと、換気ファンケース１０と循環ファンケース１１との当接部に隙間が生じ易くなる。このため、発泡ゴム１６を換気ファンケース１０の底面開口周縁部１０ｂの全周に取り付けることによって、より効果的に隙間の発生を抑制することができ、風切り音等の騒音の発生を防止することが可能となる。
【００７１】
また、循環ファンケース１１の上面に第1床板部１７ａや第２床板部１７ｂ等の別部材が張り合わされた状態で換気ファンケース１０と循環ファンケース１１とが固定される場合には、撓んだ循環ファンケース１１によって循環ファンケース１１と床板部１７ａ、１７ｂとの間、又は換気ファンケース１０と床板部１７ａ、１７ｂとの間に隙間が生じ易い傾向がある。このため、発泡ゴム１６を当接部に介在させることによって効果的に隙間の発生を抑制することが可能となる。
【００７２】
さらに、換気ファンモータ１４ｄ等の配線を送風ユニット３の外部へと導くために、意図的に換気ファンケース１０と循環ファンケース１１との当接部にケーブルを通す場合であっても、発泡ゴム１６の拡縮によってケーブルにより生じ得る隙間を塞ぐことができるので、隙間の発生を効果的に抑制することが可能となる。
【００７３】
また、発泡ゴム１６が緩衝材の役割をも果たすため、換気シロッコファン１４ａの回転に伴う気流の脈動等の振動が、換気ファンケース１０から当接部を介して循環ファンケース１１へと伝達することを発泡ゴム１６で防止することができる。さらに、換気ファンモータ１４ｄの振動が循環ファンケース１１から当接部を介して換気ファンケース１０へと伝達することを発泡ゴム１６で防止することができる。このため、換気ファンユニット１４で発生した換気ファンケース１０又は循環ファンケース１１の振動が、当接部を介して送風ユニット３全体へと伝わってしまうことを防止することができ、浴室空調装置１全体の静音化を図ることが可能となる。
【００７４】
導通路１０ｅを通って導通路１０ｅの出口となる側部開口１０ａへと導かれた空気は、排気ダクト５１を通って排気グリル５０より屋外へと排気される（図９および図１０の矢印Ｃ１）。
【００７５】
換気ファンユニット１４によって浴室４３内の空気が屋外に排気されるので、浴室ドア５４に設けた空気取入口５４ａから洗面所４２の空気が吸込まれることとなる。このように、換気運転モードで浴室空調装置１を稼働させることにより、浴室４３内の湯気や湿気を積極的に屋外へ排気することができるので、浴室４３の結露等を抑制することができ、カビの発生を抑えることが可能となる。
【００７６】
なお、操作パネル５５において利用者により２４時間換気モードボタン５５ｈが押下されて、浴室空調装置１により２４時間運転モードでの運転が行われる場合においても、制御部６０は、上述した換気運転モードの動作と同様に、循環ファンモータ１５ｄを停止させ、換気ファンモータ１４ｄを駆動させて換気シロッコファン１４ａを回転させるとともに、開閉モータ３０を駆動して開閉シャッタ３３を回動させ、底面開口３１を開放させる。
【００７７】
このように制御部６０が、２４時間換気運転モードの運転を開始する場合には、上述した換気運転モードと同様に空気が流れることとなり、建物内の換気を行うことが可能となる。また、換気運転モードと同様に空気が流れるため、２４時間換気を行う場合であっても、第１換気整流部材１９ａおよび第２換気整流部材１９ｂによって本体ケース２内における気流の乱れを抑制することができると共に、発泡ゴム１６によって換気ファンケース１０と循環ファンケース１１との間における隙間の発生を防止することができ、さらに、騒音の発生を抑制することが可能となる。
【００７８】
なお、２４時間換気運転モードでは、通常は換気ファンユニット１４の換気ファンモータ１４ｄが連続稼働されて常時換気が行われることとなるが、建物の換気回数として０．５回／時間の換気要件を満たすように換気ファンユニット１４を断続稼働する構成としてもよい。
【００７９】
また、２４時間換気は必ずしも浴室４３だけの換気を目的とするものではないので、例えば、２４時間換気モードにより浴室空調装置１を稼働させる場合に、開閉シャッタ３３の回動角度を少なくして底面開口３１の開放量を少なくしてもよい。このように、底面開口３１の開放量を少なくすることによって、浴室４３から吸入される風量よりも第１他室排気ダクト４４および第２他室排気ダクト４８を介して他室より吸入される風量の方が多くなるので、建物全体の換気効率を向上させることが可能となる。
【００８０】
また、２４時間換気モードによる運転を行う場合には、換気ファンユニット１４の換気シロッコファン１４ａの回転時間が昼夜問わず長くなる傾向にあるため、換気シロッコファン１４ａの回転速度を遅くすることによって騒音の発生を抑制することも可能である。
【００８１】
さらに、浴室空調装置１に複数の他室吸込口２ｃが設けられている場合には、他室排気ダクト接続部５２等に電動式のシャッタ等を設けて、シャッタの開度を変更するようにしてもよい。このようにシャッタの開度を変更することによって、他室より吸込まれる空気の量を調整することができ、住宅全体で換気される風量を所定の量に保つことが可能となる。
【００８２】
＜暖房モードについて＞
操作パネル５５において利用者により暖房モードボタン５５ｂが押下されて、暖房運転モードが選択されると、制御部６０は暖房運転モードによる制御動作を実行する。
【００８３】
具体的に、制御部６０は、換気ファンモータ１４ｄを停止させて換気シロッコファン１４ａの回転を止める。また、制御部６０は、開閉モータ３０を駆動させて開閉シャッタ３３を回動させて底面開口３１を閉塞させる。さらに、制御部６０は、循環ファンモータ１５ｄを駆動させて循環シロッコファン１５ａを回転させると共にヒータ１８を通電させる。
【００８４】
循環シロッコファン１５ａが回転すると、フロントパネル５のパネル吸込口５ａを介して、ファンカバー１３の循環用吸込口１３ｂから浴室４３の空気が吸込まれる（図１１）。循環用吸込口１３ｂから吸込まれた空気は、循環シロッコファン１５ａによって循環ファンケース１１内に吸込まれる（図１１の矢印Ａ２）。
【００８５】
循環ファンケース１１内に吸込まれた空気は、循環ファンケース１１内に形成された導通路１１ｅを通って循環案内部１２へと導かれる。
【００８６】
このとき、導通路１１ｅには、第１循環整流部材２０ａと第２循環整流部材２０ｂとが設けられているので、風速の増大に伴う気流の乱れを第１循環整流部材２０ａおよび第２循環整流部材２０ｂによって整えることができ、導通路１１ｅにおける気流の乱れを抑制して円滑な空気の排出を実現することができると共に、気流の乱れによる騒音の発生を抑制することが可能となる。
【００８７】
さらに、換気ファンケース１０の底面開口周縁部１０ｂの全周に発泡ゴム１６が設けられているので、発泡ゴム１６が緩衝材の役割をも果たし、循環シロッコファン１５ａの回転による気流の脈動等の振動や循環ファンモータ１５ｄの駆動に伴う振動等が、当接部を介して循環ファンケース１１から換気ファンケース１０へと伝わることを防止することが可能となる。このため、循環ファンケース１１で発生した振動が、送風ユニット３全体へと伝わってしまうことを防止することができ、浴室空調装置１全体の静音化を図ることが可能となる。
【００８８】
その後、導通路１１ｅを通って、循環案内部１２へと導かれた空気は、循環案内部１２に設けられたヒータ１８により暖められた後に、ファンカバー１３の吹出口１３ａおよびフロントパネル５のパネル吹出口５ｂを介して浴室４３内に吹き出される（図１１の矢印Ｂ２）。
【００８９】
このように、浴室空調装置１を暖房運転モードで動作させることにより、浴室４３内の空気を循環させながら暖房して、浴室内の温度を上げることができる。浴室空調装置１を暖房運転モードで動作させることによって、浴室４３内をあらかじめ暖めておくこと（いわゆる予備暖房）ができるので、入浴開始時に利用者が寒さを感じることなく快適に入浴を行うことが可能となる。また、入浴の最中に浴室４３内に吹き出す温風量を少なくして浴室４３を暖めること（いわゆる入浴暖房）によって、浴室の洗場で体を洗う場合等においても利用者が寒さを感じることなく快適に入浴を行うことができる。
【００９０】
なお、上述実施形態では、換気ファンモータ１４ｄを停止させて換気シロッコファン１４ａを回転させないこととしたが、洗面所４２等の他室から吸込んだ空気を排気するために、開閉シャッタ３３で底面開口３１を閉塞した状態で換気シロッコファン１４ａを回転させるようにしてもよい。底面開口３１を閉塞した状態で換気シロッコファン１４ａを回転させることにより、浴室４３内の暖められた空気が換気ファンユニット１４で吸込まれにくくなるので、暖かい空気が浴室４３外に排出される（逃げてしまう）ことを防止することができる。
【００９１】
また、底面開口３１を閉塞した状態で換気シロッコファン１４ａを回転させる場合であっても、このとき、導通路に設けられた第１換気整流部材１９ａと第２換気整流部材１９ｂとによって、導通路１０ｅの気流の乱れを整えて円滑な空気の排出を実現することができると共に、気流の乱れによる騒音の発生を抑制することが可能となる。
【００９２】
さらに、底面開口３１を閉塞した状態で換気シロッコファン１４ａを回転させる場合であっても、換気ファンケース１０の底面開口周縁部１０ｂの全周に発泡ゴム１６が設けられているので、発泡ゴム１６が換気ファンケース１０と循環ファンケース１１との隙間を塞ぐようにして拡縮し、当接部からの空気の流出を防止することができる。このため、導通路１０ｅを通過する空気が当接部の隙間から送風ユニット３外部に漏れだしてしまって、笛吹音や風切り音等の騒音が発生してしまうことを防止することができる。
【００９３】
また、発泡ゴム１６は緩衝材の役割をも果たすため、換気ファンユニット１４で発生した振動が送風ユニット３全体へと伝わってしまうことを防止することができ、浴室空調装置１全体の静音化を図ることが可能となる。
【００９４】
＜乾燥モードおよび涼風モードについて＞
操作パネル５５において利用者により乾燥モードボタン５５ｅが押下されて、乾燥運転モードが選択されると、制御部６０は乾燥運転モードによる制御動作を実行する。
【００９５】
具体的に、制御部６０は、換気ファンモータ１４ｄを駆動させて換気シロッコファン１４ａを回転させる。また、制御部６０は、開閉モータ３０を駆動させて開閉シャッタ３３を回動させ、底面開口３１を開放させる。さらに、制御部６０は、循環ファンモータ１５ｄを駆動させて循環シロッコファン１５ａを回転させると共にヒータ１８を通電させる。
【００９６】
換気シロッコファン１４ａが回転すると、フロントパネル５のパネル吸込口５ａ、底面開口３１を介して、浴室４３の空気が換気用吸込口１０ｆより換気ファンケース１０の内部へと吸込まれる（図１２の矢印Ａ１）。
【００９７】
同時に、換気シロッコファン１４ａの回転によって、洗面所４２の空気が第１他室排気ダクト４４を介して他室吸込口２ｃへと導かれ、また、トイレ４１の空気が第１他室排気ダクト４４および第２他室排気ダクト４８を介して他室吸込口２ｃへと導かれて、換気用吸込口１０ｆより換気ファンケース１０内部へと吸込まれる（図１２の矢印Ｂ１）。
【００９８】
このとき、開閉ユニット２２がファンカバー１３の端部に設けられ、２カ所の底面開口３１が、本体ケース２の左右角部に確保されているので、浴室４３からの吸込風量を増やすことができ、十分な吸込風量を確保することが可能となる。
【００９９】
特に、底面開口３１は、本体ケース２と循環ファンケース１１との間であって循環ファンケース１１の外周に沿って設けられた空間（隙間）に位置するようにして形成されており、浴室４３からの吸込開口面積を従来に比べて広く確保することができるので、浴室からの吸込風量を従来よりも多くすることが可能となる。
【０１００】
換気ファンケース１０内に吸込まれた空気は、換気ファンケース１０内の導通路１０ｅへと導かれる。導通路１０ｅを側部開口１０ａへと通過する気流は、次第に通路幅の拡幅が大きくなるので風速が増大する。
【０１０１】
このとき、導通路１０ｅには、第１換気整流部材１９ａと第２換気整流部材１９ｂとが設けられているので、風速の増大に伴う気流の乱れを第１換気整流部材１９ａおよび第２換気整流部材１９ｂによって整流することができ、導通路１０ｅにおける気流の乱れを抑制して円滑な空気の排出を実現することができると共に、気流の乱れによる騒音の発生を抑制することが可能となる。
【０１０２】
さらに、換気ファンケース１０の底面開口周縁部１０ｂの全周には、発泡ゴム１６が設けられている。このため、循環ファンケース１１に設けられた換気ファンモータ１４ｄおよび循環ファンモータ１５ｄの重み等によって循環ファンケース１１が撓んでしまったり、経時変化や温度変形等によって循環ファンケース１１が僅かに歪んでしまうおそれがあっても、換気ファンケース１０と循環ファンケース１１との当接部に設けられた発泡ゴム１６が換気ファンケース１０と循環ファンケース１１との隙間を塞ぐようにして拡縮し、当接部からの空気の流出を防止することができる。このため、導通路１０ｅを通過する空気が当接部の隙間から送風ユニット３の外部に漏れだしてしまって、笛吹音や風切り音等の騒音が発生してしまうことを防止することができる。
【０１０３】
特に、浴室空調装置１では、換気ファンケース１０が本体ケース２の上端部において天井面より一定の空間距離Ｌを確保するようにして垂設されているので、換気ファンモータ１４ｄや循環ファンモータ１５ｄの重み等によって循環ファンケース１１が撓んでしまうと、換気ファンケース１０と循環ファンケース１１との当接部に隙間が生じ易くなる。このため、発泡ゴム１６を換気ファンケース１０の底面開口周縁部１０ｂの全周に取り付けることによって、より効果的に隙間の発生を抑制することができ、風切り音等の騒音の発生を防止することが可能となる。
【０１０４】
また、循環ファンケース１１の上面に第1床板部１７ａや第２床板部１７ｂ等の別部材が張り合わされた状態で換気ファンケース１０と循環ファンケース１１とが固定される場合には、撓んだ循環ファンケース１１によって循環ファンケース１１と床板部１７ａ、１７ｂとの間、又は換気ファンケース１０と床板部１７ａ、１７ｂとの間に隙間が生じ易い傾向がある。このため、発泡ゴム１６を当接部に介在させることによって効果的に隙間の発生を抑制することが可能となる。
【０１０５】
さらに、換気ファンモータ１４ｄ等の配線を送風ユニット３の外部へと導くために、意図的に換気ファンケース１０と循環ファンケース１１との当接部にケーブルを通す場合でも、発泡ゴム１６の拡縮によってケーブルにより生じ得る隙間を塞ぐことができるので、隙間の発生を効果的に抑制することが可能となる。
【０１０６】
また、発泡ゴム１６が緩衝材の役割をも果たすため、換気シロッコファン１４ａの回転に伴って生ずる気流の脈動等の振動が、換気ファンケース１０から当接部を介して循環ファンケース１１へと伝達することを、発泡ゴム１６で防止することができる。さらに、換気ファンモータ１４ｄの振動が循環ファンケース１１から当接部を介して換気ファンケース１０へと伝達することを発泡ゴム１６で防止することができる。このため、発泡ゴム１６によって、換気ファンユニット１４で発生した換気ファンケース１０又は循環ファンケース１１の振動が、当接部を介して送風ユニット３全体へと伝わることを防止することができ、浴室空調装置１全体の静音化を図ることが可能となる。
【０１０７】
そして、導通路１０ｅを通って導通路１０ｅの出口となる側部開口１０ａへと導かれた空気は、排気ダクト５１を通って排気グリル５０より屋外へと排気される（図１２の矢印Ｃ１）。
【０１０８】
一方で、循環シロッコファン１５ａが回転すると、フロントパネル５のパネル吸込口５ａを介して、ファンカバー１３の循環用吸込口１３ｂから浴室４３の空気が吸込まれる。循環用吸込口１３ｂから吸込まれた空気は、循環シロッコファン１５ａによって循環ファンケース１１内に吸込まれる（図１２の矢印Ａ２）。
【０１０９】
循環ファンケース１１内に吸込まれた空気は、循環ファンケース１１内に形成された導通路１１ｅを通って循環案内部１２へと導かれる。
【０１１０】
このとき、導通路１１ｅには、第１循環整流部材２０ａと第２循環整流部材２０ｂとが設けられているので、風速の増大に伴う気流の乱れを第１循環整流部材２０ａおよび第２循環整流部材２０ｂによって整えることができ、導通路１１ｅにおける気流の乱れを抑制して円滑な空気の排出を実現することができると共に、気流の乱れによる騒音の発生を抑制することが可能となる。
【０１１１】
さらに、換気ファンケース１０の底面開口周縁部１０ｂの全周に発泡ゴム１６が設けられているので、発泡ゴム１６が緩衝材の役割をも果たし、循環ファンユニット１５の振動が当接部を介して循環ファンケース１１から換気ファンケース１０へと伝わってしまうことを防止することが可能となる。このため、循環ファンケース１１で発生した振動が、送風ユニット３全体へと伝わってしまうことを防止することができ、浴室空調装置１全体の静音化を図ることが可能となる。
【０１１２】
その後、導通路１１ｅを通って、循環案内部１２へと導かれた空気は、循環案内部１２に設けられたヒータ１８により暖められた後に、吹出口１３ａおよびフロントパネル５のパネル吹出口５ｂを介して浴室４３内に吹き出される（図１２の矢印Ｂ２）。
【０１１３】
このように、浴室空調装置１を乾燥モードで動作させることによって、換気ファンユニット１４により浴室４３内の空気を屋外に排出させつつ、循環ファンユニット１５で浴室４３内を暖めることができるので、浴室４３内のランドリパイプ５３に吊した衣類の乾燥等を行うことが可能となる。また、浴室４３内の空気の一部が屋外に排気され、空気取入口５４ａから洗面所４２等の空気を取り込むことによって浴室４３内の換気が行われるので、湿気等を排出して、洗濯物の乾燥を促進することができる。
【０１１４】
なお、利用者によって操作パネル５５の涼風モードボタン５５ｃが押下されて、涼風運転モードが選択された場合、制御部６０は、ヒータ１８が停止される以外、上述した乾燥運転モードと同様の制御動作を実行する。このため、浴室空調装置１が涼風運転モードにより動作された場合であっても、上述した乾燥運転モードによる動作と同じように、導通路１０ｅに、第１換気整流部材１９ａと第２換気整流部材１９ｂとが設けられ、導通路１１ｅには第１循環整流部材２０ａと第２循環整流部材２０ｂとが設けられているので、これらの整流部材によって導通路１０ｅおよび導通路１１ｅにおける気流の乱れを抑制して円滑な空気の排出を実現することができると共に、気流の乱れによる騒音の発生を抑制することが可能となる。
【０１１５】
さらに、換気ファンケース１０の底面開口周縁部１０ｂの全周には、発泡ゴム１６が設けられているので、循環ファンケース１１に設けられた換気ファンモータ１４ｄおよび循環ファンモータ１５ｄの重み等によって循環ファンケース１１が撓んでしまったり、経時変化や温度変形等によって循環ファンケース１１が僅かに歪んでしまうおそれがあっても、換気ファンケース１０と循環ファンケース１１との当接部に設けられた発泡ゴム１６が換気ファンケース１０と循環ファンケース１１との隙間を塞ぐようにして拡縮し、当接部からの空気の流出を防止することができる。このため、導通路１０ｅを通過する空気が当接部の隙間から送風ユニット３の外部に漏れだしてしまって笛吹音や風切り音等の騒音が発生することを防止することができる。
【０１１６】
また、発泡ゴム１６が緩衝材の役割をも果たすため、換気シロッコファン１４ａの回転に伴って生ずる気流の脈動等の振動が当接部を介して換気ファンケース１０から循環ファンケース１１へと伝わってしまったり、換気ファンモータ１４ｄや循環ファンモータ１５ｄの駆動に伴う振動が換気ファンケース１０から循環ファンケース１１へと伝わってしまうことを防止することができる。このため、換気ファンユニット１４又は循環ファンユニット１５により生じた振動が、当接部を介して送風ユニット３の全体へと伝わってしまうことを防止することができ、浴室空調装置１全体の静音化を図ることが可能となる。
【０１１７】
涼風運転モードにより浴室空調装置１が稼働されることによって、浴室４３内の湿度の高い空気を排気し、浴室４３内の空気を循環させながら浴室４３内の温度に応じた涼風を吹き出すことができるので、浴室空調装置１を夏場等に扇風機として使用することが可能となる。
【０１１８】
以上説明したように、本発明に係る送風装置を備えた浴室空調装置１では、換気ファンケース１０の底面開口周縁部１０ｂの全周には、発泡ゴム１６が設けられているので、例えば、循環ファンケース１１に設けられた換気ファンモータ１４ｄおよび循環ファンモータ１５ｄの重み等によって循環ファンケース１１が撓んでしまったり、経時変化や温度変形等によって循環ファンケース１１が僅かに歪んでしまうおそれがあっても、換気ファンケース１０と循環ファンケース１１との当接部に設けられた発泡ゴム１６が換気ファンケース１０と循環ファンケース１１との隙間を塞ぐようにして拡縮し、当接部からの空気の流出を防止することができる。このため、導通路１０ｅを通過する空気が当接部の隙間から送風ユニット３の外部に漏れだしてしまって、笛吹音や風切り音等の騒音が発生してしまうことを防止することができる。
【０１１９】
特に、本実施形態に示す浴室空調装置１のように、換気ファンケース１０が本体ケース２の上端部において天井面より一定の空間距離Ｌを確保するようにして垂設されている場合には、換気ファンモータ１４ｄや循環ファンモータ１５ｄの重み等によって循環ファンケース１１が撓んでしまうと、換気ファンケース１０と循環ファンケース１１との当接部に隙間が生じ易くなる。このため、発泡ゴム１６を換気ファンケース１０の底面開口周縁部１０ｂの全周に取り付けることによって、より効果的に隙間の発生を抑制することができ、風切り音等の騒音の発生を防止することが可能となる。
【０１２０】
また、本実施形態において説明したように、循環ファンケース１１の天井面上面に床板部１７ａ、１７ｂ等の別部材が張り合わされた状態で換気ファンケース１０と循環ファンケース１１とが固定される場合には、撓んだ循環ファンケース１１によって循環ファンケース１１と別部材との間、又は換気ファンケース１０と別部材との間に発生し易い隙間を発泡ゴム１６によって効果的に塞ぐことが可能となる。
【０１２１】
さらに、換気ファンケース１０と循環ファンケース１１との当接部の隙間にケーブルを通す必要がある場合であっても、発泡ゴム１６の拡縮によってケーブルにより生じ得る隙間を塞ぐことができるので、隙間の発生を効果的に抑制することが可能となる。
【０１２２】
また、発泡ゴム１６が緩衝材の役割をも果たすため、換気ファンユニット１４や循環ファンユニット１５の振動が当接部を介して送風ユニット３の全体へと伝わってしまうことを防止することができ、浴室空調装置１全体の静音化を図ることが可能となる。
【０１２３】
以上、浴室空調装置１の実施形態を、運転モード毎に場合分けをして説明したが、本発明に係る送風装置は上述した実施形態に限定されるものではない。いわゆる当業者であれば、特許請求の範囲に記載された範疇内において各種の変更例又は修正例に想到し得ることは明らかであり、それらについても当然に本発明の技術的範囲に属するものと了解される。
【０１２４】
例えば、本実施形態では、発泡ゴム１６を換気ファンケース１０の底面開口周縁部１０ｂの全周に設けることとしたが、発泡ゴム１６は必ずしも底面開口周縁部１０ｂの全周に設ける必要はなく、換気ファンケース１０と循環ファンケース１１との当接面であって、隙間が生じ易い箇所に設置されていればよい。例えば、本実施形態で説明したように、循環ファンケース１１の天井面等に床板部等の別部材が張り合わされる場合には、この別部材が張り合わされた箇所において隙間が生じ易くなる傾向が強いので、このような場所に発泡ゴム１６を設置することによって、効果的に隙間の発生を抑制することが可能となる。
【０１２５】
さらに、上記実施形態では、ユニット化された循環ファンユニット１５および換気ファンユニット１４を用いて説明を行ったが、回転ファンは必ずしもユニット化されたものに限定されるものではなく、回転ファン、ファンモータ等が別体に構成されるものであってもよい。さらに、上記実施形態では、送風用のファンとしてシロッコファンを用いる場合について説明を行ったが、回転ファンは必ずしもシロッコファンに限定されるものではなく、ラジアルファンのような多翼ファンを用いるものであってもよい。
【０１２６】
また、上記実施形態では、換気ファンユニット１４を循環ファンユニット１５の上側に配置した構成例を示して説明を行ったが、本発明に係る送風装置は、循環ファンユニット１５が換気ファンユニット１４の上側に配置される構成としてもよい。
【０１２７】
さらに、上記実施形態では、循環ファンユニット１５と換気ファンユニット１４とを用いて空気の換気と循環とを別々のシロッコファンで行う浴室空調装置１を説明したが、換気ファンユニット１４と循環ファンユニット１５とを１台のファンユニットで兼用し、ダンパー等を用いて空気の換気および循環を制御する構造としてもよい。このような構造とした場合であっても、ファンモータおよびシロッコファンが固定されるファンケース基部と、シロッコファン等を内包するようにしてファンケース基部に載置されるファンケース本体部との当接部に発泡ゴムを設置することによって、発泡ゴムがファンケース基部とファンケース本体部との隙間を塞ぐようにして拡縮し、笛吹音や風切り音等の騒音を防止することができる。
【０１２８】
また、このような構造においても発泡ゴムが緩衝材の役割を果たすため、ファンユニットの振動（シロッコファンの回転に伴って発生する気流の脈動等の振動や、ファンモータの駆動に伴う振動等）が当接部を介して送風ユニットの全体へと伝わってしまうことを防止することができ、浴室空調装置全体の静音化を図ることが可能となる。
【０１２９】
さらに、本実施形態において弾性部材として説明した発泡ゴムは、実施形態に示したものに限定されるものではなく、他のゴム部材（例えば、発泡性を備えないゴム等）やシリコン部材等の他の弾性部材を用いるものであってもよい。
【０１３０】
また、上記実施形態に示した浴室空調装置１は、換気シロッコファン１４ａの回転軸１４ｅと循環シロッコファン１５ａの回転軸１５ｅとを鉛直向きに配置する構成としたが、換気シロッコファン１４ａの回転軸１４ｅと循環シロッコファン１５ａの回転軸１５ｅとを水平向きに配置する構成にしてもよい。
【０１３１】
さらに、上記実施形態に示した浴室空調装置１は、換気ファンユニット１４と循環ファンユニット１５とを上下に配置する構成としたが、換気ファンユニット１４と循環ファンユニット１５とを左右に配置する構成にしてもよい。
【０１３２】
また、上述した実施形態では浴室空調装置１についての説明を行ったが、本発明に係る送風装置は浴室用の空調装置に限定されるものではなく、浴室以外に用いられる空調装置であってもよい。
【図面の簡単な説明】
【０１３３】
【図１】実施形態に係る浴室空調装置を示す斜視図である。
【図２】図１に示す浴室空調装置のＡ−Ａ断面を示す側方断面図である。
【図３】実施形態に係る本体ケースおよび送風ユニット３の構成を示した展開側面図である。
【図４】実施形態に換気浴室空調装置を示す展開斜視図である。
【図５】図２におけるＢ−Ｂ断面を矢印方向から示した平面断面図である。
【図６】実施形態に係る本体ケースおよび送風ユニットを図２の矢印Ｃ方向より示した平面図である。
【図７】実施形態に係る浴室空調装置を浴室に設置した状態を示す概略構成図である。
【図８】（ａ）は、実施形態に操作パネルを示した図であり、（ｂ）は、浴室空調装置の制御機能を示したブロック図である。
【図９】換気運転モード時における浴室空調装置の空気の流れを示した浴室空調装置の斜視図である。
【図１０】換気運転モード時における浴室空調装置の動作状態と空気の流れとを示した浴室空調装置の側方断面図である。
【図１１】暖房運転モード時における浴室空調装置の動作状態と空気の流れとを示した浴室空調装置の側方断面図である。
【図１２】乾燥運転モード時における浴室空調装置の動作状態と空気の流れとを示した浴室空調装置の側方断面図である。
【符号の説明】
【０１３４】
１     …浴室空調装置（送風装置）
２     …本体ケース
２ａ   …（本体ケースの）フランジ
２ｂ   …（本体ケースの）箱体部
２ｃ   …（本体ケースの）他室吸込口
２ｄ   …（本体ケースの）排気口
３     …送風ユニット
４     …回路基板部
５     …フロントパネル
５ａ   …（フロントパネルの）パネル吸込口
５ｂ   …（フロントパネルの）パネル吹出口
１０   …（送風ユニットの）換気ファンケース（ファンケース本体部）
１０ａ  …（換気ファンケースの）側部開口
１０ｂ  …（換気ファンケースの）底面開口周縁部
１０ｃ  …（換気ファンケースの）円形状空間部
１０ｄ  …（換気ファンケースの）舌状部
１０ｅ  …（換気ファンケースにおける）導通路
１０ｆ  …（換気ファンケースの）換気用吸込口
１１   …（送風ユニットの）循環ファンケース（ファンケース基部）
１１ａ  …（循環ファンケースの）側部開口
１１ｃ  …（循環ファンケースの）円形状空間部
１１ｄ  …（循環ファンケースの）舌状部
１１ｅ  …（循環ファンケースにおける）導通路
１２   …（送風ユニットの）循環案内部
１３   …（送風ユニットの）ファンカバー
１３ａ  …（ファンカバーの）吹出口
１３ｂ  …（ファンカバーの）循環用吸込口
１４   …（送風ユニットの）換気ファンユニット
１４ａ  …（換気ファンユニットの）換気シロッコファン（ファン）
１４ｂ  …（換気シロッコファンの）主板
１４ｃ  …（換気シロッコファンの）翼
１４ｄ  …（換気ファンユニットの）換気ファンモータ（ファンモータ）
１４ｅ  …（換気ファンモータの）回転軸
１５   …（送風ユニットの）循環ファンユニット
１５ａ  …（循環ファンユニットの）循環シロッコファン（他のファン）
１５ｂ  …（循環シロッコファンの）主板
１５ｃ  …（循環シロッコファンの）翼
１５ｄ  …（循環ファンユニットの）循環ファンモータ（第２ファンモータ）
１５ｅ  …（循環ファンモータの）回転軸
１６   …発泡ゴム（弾性部材）
１７ａ  …第1床板部
１７ｂ  …第２床板部
１８   …（循環案内部の）ヒータ
１９ａ  …第１換気整流部材
１９ｂ  …第２換気整流部材
２０ａ  …第１循環整流部材
２０ｂ  …第２循環整流部材
２２   …開閉ユニット
３０   …開閉モータ
３０ａ、３０ｂ  …ギア
３１   …底面開口
３２   …開閉ユニットフレーム
３３   …開閉シャッタ
３３ａ  …（開閉シャッタの）シャッタ軸
４１   …トイレ
４２   …洗面所
４２ａ  …洗面所排気吸込口
４３   …浴室
４３ａ  …天井パネル
４４   …第１他室排気ダクト
４５   …第１他室排気ダクト接続部
４６   …連結ユニット
４７   …トイレ排気吸込口
４８   …第２他室排気ダクト
５０   …排気グリル
５１   …排気ダクト
５２   …排気ダクト接続部
５３   …ランドリパイプ
５４   …浴室ドア
５４ａ  …（浴室ドアの）空気取入口
５５   …操作パネル
５５ａ  …（操作パネルの）表示部
５５ｂ  …（操作パネルの）暖房モードボタン
５５ｃ  …（操作パネルの）涼風モードボタン
５５ｄ  …（操作パネルの）換気モードボタン
５５ｅ  …（操作パネルの）乾燥モードボタン
５５ｆ  …（操作パネルの）ランプ
５５ｇ  …（操作パネルの）タイマボタン
５５ｈ  …（操作パネルの）２４時間換気モードボタン
６０   …（回路基板部の）制御部
【図１】
2008107016.tif 000003
【図２】
2008107016.tif 000004
【図３】
2008107016.tif 000005
【図４】
2008107016.tif 000006
【図５】
2008107016.tif 000007
【図６】
2008107016.tif 000008
【図７】
2008107016.tif 000009
【図８】
2008107016.tif 000010
【図９】
2008107016.tif 000011
【図１０】
2008107016.tif 000012
【図１１】
2008107016.tif 000013
【図１２】
2008107016.tif 000014